(57)【要約】【課題】  光強度検出センサーなどの光学素子の仮止めを、フレキシブル配線基板の折返し箇所の復元力を利用して容易かつ確実に行う。接着剤の劣化などに起因する光学素子の剥がれや脱落を防ぐ。【解決手段】  フレキシブル配線基板５０の素子取付領域５２に、ベース体１０の取付部２２に取り付けた光学素子としての光強度検出センサー７が搭載されている。フレキシブル配線基板５０の素子取付領域５２を引廻し領域５１側に折り返してその箇所をベース体１０の取付部２２とパックアップ部２７との対向空間に収容させることにより、フレキシブル配線基板５０の折返し箇所ロの復元力で素子取付領域５１を取付部２２に弾圧させる。【選択図】        図１
2006216131.tif 000002
【特許請求の範囲】
【請求項１】
ベース体に取り付けられたフレキシブル配線基板に引廻し領域と素子取付領域とが連続して区画形成されていて、その素子取付領域に、上記ベース体の取付部に配置されて光学系の光路に介在されている光学素子が搭載されている光学式ピックアップにおいて、
上記ベース体に具備された開口の相対向する一対の辺部のうちの片側辺部に、フレキシブル配線基板の素子取付領域に重なり状に取り付けられた上記光学素子が嵌合する門形の凹所とその凹所の周囲に位置して上記素子取付領域が弾圧される平坦な受面とを備える上記取付部が設けられているのに対し、他側辺部に上記片側辺部に向けて円弧状に張り出したバックアップ部が設けられ、
上記フレキシブル配線基板の引廻し領域側に折り返されてその引廻し領域に間隔を隔てて対向させた上記素子取付領域と上記引廻し領域の素子取付領域との対向箇所とを上記ベース体の取付部とパックアップ部との対向空間に収容させることによって上記取付部の凹所に上記光学素子を嵌合し、かつ、上記対向箇所に上記バックアップ部を当接させることによりフレキシブル配線基板の折返し箇所の復元力で上記素子取付領域を上記取付部の受面に弾圧させてあると共に、上記素子取付領域に補強プレートが重なり状に接合されており、
上記光学素子が光学系の光源としての発光ダイオードから出た光ビームの強度を検出することに用いられる光強度検出センサーであることを特徴とする光学式ピックアップ。
【請求項２】
ベース体に取り付けられたフレキシブル配線基板に引廻し領域と素子取付領域とが連続して区画形成されていて、その素子取付領域に、上記ベース体の取付部に配置されて光学系の光路に介在されている光学素子が搭載されている光学式ピックアップにおいて、
上記フレキシブル配線基板の素子取付領域を引廻し領域側に折り返してその引廻し領域に間隔を隔てて対向させていると共に、その引廻し領域の上記素子取付領域との対向箇所に上記ベース体に設けたバックアップ部を当接させることにより、フレキシブル配線基板の折返し箇所の復元力で上記素子取付領域を上記ベース体の取付部に弾圧させてあることを特徴とする光学式ピックアップ。
【請求項３】
上記ベース体に具備された開口の相対向する一対の辺部のうちの片側辺部に上記取付部が、他側辺部に上記バックアップ部が、それぞれ設けられていて、それらの取付部とバックアップ部との対向空間に、上記フレキシブル配線基板の素子取付領域と引廻し領域の素子取付領域との対向箇所とが収容されている請求項２に記載した光学式ピックアップ。
【請求項４】
上記取付部に、フレキシブル配線基板の素子取付領域に重なり状に取り付けられた上記光学素子が嵌合する凹所と、その凹所の周囲に位置して上記素子取付領域が弾圧される平坦な受面とが備わり、上記バックアップ部が、上記他側辺部から上記片側辺部に向けて張り出した円弧状に形成されている請求項３に記載した光学式ピックアップ。
【請求項５】
上記光学素子が、光学系の光源としての発光ダイオードから出た光ビームの強度を検出することに用いられる光強度検出センサーである請求項２ないし請求項４のいずれか１項に記載した光学式ピックアップ。
【発明の詳細な説明】
【技術分野】
【０００１】
本発明は、光学式ピックアップ、特に、光学系の光路に介在される光学素子を、仮止め後に接着剤を用いてベース体に固定保持させてある光学式ピックアップに関する。
【背景技術】
【０００２】
光学式ピックアップは、ＤＶＤ装置などに組み込まれて記録媒体としてのディスクの記録面を光学的に走査することなどに用いられている。この種の光学式ピックアップでは、ディスクの径方向に走行駆動されるベース体に光学系が搭載されている。図６はこの光学系の説明図である。図６において、１は光源としての光学素子である発光ダイオード（発光素子）、２は回折格子、３はハーフミラー、４はコリメータレンズ、５は対物レンズ、６は受光素子、７は光強度検出センサーをそれぞれ示していて、これらの光学素子のうち、発光ダイオード１、回折格子２、ハーフミラー３、コリメータレンズ４及び受光素子６がベース体１０の定位置に固定されているのに対し、対物レンズ５はディスクＤに対するフォーカス方向及びトラッキング方向に変位制御されるようになっている。
【０００３】
この光学系では、発光素子１からの投射光が、回折格子２、ハーフミラー３、コリメータレンズ４及び対物レンズ５を経て記録媒体としてのディスクＤの記録面に照射され、その反射光が、コリメータレンズ４及びハーフミラー３を経て受光素子６に導かれる。また、光強度検出センサー７は光学素子としての受光素子によって構成されていて、発光ダイオード１から投射された光がその光強度検出センサー７によって検知されると、その検知信号が図示していない制御回路で処理され、その制御回路からの出力信号によって発光ダイオード１からの投射光の強度が適切にフィードバック制御されるようになっている。
【０００４】
従来の光学式ピックアップにおいて、上記光強度検出センサー７は図７に示した構造でベース体１０に固着されていた。すなわち、図７はベース体１０に対する光強度検出センサー７の取付け部分の構造を示した平面図である。図７において、５０はフレキシブル配線基板（ＦＰＣ）を示し、このフレキシブル配線基板５０には引廻し領域５１と素子取付領域５２とが連続して区画形成されていて、補強プレート５３によって補強された素子取付領域５２に光強度検出センサー７が重なり状に搭載されている。また、同図のベース体１０は開口１１を備えていて、その開口１１の相対向する一対の辺部１２，１３のうち、片側辺部１２に凹所１４を備える取付部１５が形成されていて、その取付部１５の凹所１４に上記光強度検出センサー７を嵌合した状態で、フレキシブル配線基板５０の素子取付領域５２が図示していない接着剤によってその取付部１５に接合固定されている。
【０００５】
このような従来の光学式ピックアップでは、光強度検出センサー７をベース１０の取付部１５に取り付ける工程において、フレキシブル配線基板５０の引廻し領域５１の中間部イを図示のように折り曲げて素子取付領域５２をベース１０の開口１１に嵌めること、開口１１に嵌まった素子取付領域５２に搭載されている光強度検出センサー７を取付部１５の凹所１４に嵌合させること、取付部１５の凹所１４に嵌合させた光強度検出センサー７がフレキシブル配線基板５０の折曲り箇所の復元力によって凹所１４から跳ね出ないように押さえ付けた仮止め状態を保って素子取付領域５２を取付部１５に接着剤で接合固定すること、などが行われていた。
【０００６】
一方、制御信号をフレキシブル配線基板を介して伝達するようになっている光学式ピックアップ装置において、フレキシブル配線基板の曲り剛性を高めるためにそのフレキシブル配線基板を幅方向において湾曲させ、その湾曲させた部分を固定フレームの座面に固定するという技術が従来公知である（たとえば特許文献１参照）。
【特許文献１】実用新案登録第３０８９８７７号公報
【発明の開示】
【発明が解決しようとする課題】
【０００７】
図７を参照して説明した従来の光ピックアップでは、上記したように、光強度検出センサー７の取付工程において、ベース体１０の取付部１５の凹所１４に嵌合させた光強度検出センサー７を仮止めするときに、その光強度検出センサー７がフレキシブル配線基板５０の中間部イの折曲り箇所の復元力によって凹所１４から跳ね出ないように押さえ付けておくことが要求されるため、そのような仮止めを経て接着剤でフレキシブル配線基板５０の素子取付領域５２を取付部１５に接合固定するまでの工程が煩雑で熟練を必要とするという問題があった。また、これに加えて、接着剤で接合固定して取付工程を終了した後においても、凹所１４から光強度検出センサー７を跳ね出そうとする方向の力Ｆが、フレキシブル配線基板５０の折曲り箇所の復元力によってその接合固定箇所に加わったままになっているので、経時などの要因で接着剤が劣化した場合などにフレキシブル配線基板５０の素子取付領域５２が取付部１５から剥がれて光強度検出センサー７が位置ずれしたり、場合によっては凹所１４から外れてしまったりするというおそれがあった。
【０００８】
そこで、この点を改善するために、接着剤の使用量を増やすという対策を講じることがあったけれども、そのような対策は根本的な解決策とはなり得なかった。また、フレキシブル配線基板をビス止めしたり他の部品を追加して固定したりすることも従来行われていたけれども、それらのビスや他の部品が余分に必要になって構造の複雑化や部品コストの上昇を伴うので好ましくない。
【０００９】
一方、上掲の特許文献１によって提案されている技術を利用してフレキシブル配線基板５０の曲り剛性を高め、そうすることによって、凹所１４から光強度検出センサー７を跳ね出そうとする方向の力Ｆを発生させないようにすることが考えられるけれども、光強度検出センサー７を搭載したフレキシブル配線基板５０ではその引廻しスペースがきわめて狭く制限されていることなどを勘案するとそれには無理がある。
【００１０】
本発明は以上の問題や状況に鑑みてなされたものであり、接着剤の使用量を増やしたり、ビスや他の部品を追加したりすることなく、光強度検出センサーなどの光学素子の仮止めが容易かつ確実に行われるようになり、しかも、取付工程を終了した後においては、接着剤の劣化などに起因する光学素子の剥がれや脱落が生じにくくなる光学式ピックアップを提供することを目的とする。
【００１１】
また、本発明は、特に光学素子としての光強度検出センサーの仮止めを容易に行うことができ、また、光強度検出センサーが取付け後に剥がれたり脱落したりすることを防ぐことのできる光学式ピックアップを提供することを目的とする。
【課題を解決するための手段】
【００１２】
本発明に係る光学式ピックアップでは、ベース体に取り付けられたフレキシブル配線基板に引廻し領域と素子取付領域とが連続して区画形成されていて、その素子取付領域に、上記ベース体の取付部に配置されて光学系の光路に介在されている光学素子が搭載されている。そして、上記フレキシブル配線基板の素子取付領域を引廻し領域側に折り返してその引廻し領域に間隔を隔てて対向させていると共に、その引廻し領域の上記素子取付領域との対向箇所に上記ベース体に設けたバックアップ部を当接させることにより、フレキシブル配線基板の折返し箇所の復元力で上記素子取付領域を上記ベース体の取付部に弾圧させてある。
【００１３】
この構成であれば、フレキシブル配線基板の素子取付領域を引廻し領域側に折り返すことによって形成される折返し箇所の復元力がその素子取付領域をベース体の取付部に弾圧させることに利用され、その復元力によって素子取付領域に搭載されている光学素子がベース体の取付部に外れないように保持される。そのため、光学素子がベース体の取付部にビスや別の部品を用いずに確実に仮止めされる。また、仮止め後に接着剤を塗布して上記素子取付領域をベース体の取付部に接合固定した後において、経時的要因などによって接着剤が劣化したとしても、光学素子がベース体の取付部から剥がれたり脱落したりしにくくなる。
【００１４】
本発明では、上記ベース体に具備された開口の相対向する一対の辺部のうちの片側辺部に上記取付部が、他側辺部に上記バックアップ部が、それぞれ設けられていて、それらの取付部とバックアップ部との対向空間に、上記フレキシブル配線基板の素子取付領域と引廻し領域の素子取付領域との対向箇所とが収容されていることが望ましい。これによれば、フレキシブル配線基板の素子取付領域と引廻し領域の素子取付領域との対向箇所とをベース体の開口に嵌め込んで取付部とバックアップ部との間に収容するという作業を行うだけで、フレキシブル配線基板の折返し箇所の復元力でバックアップ部がフレキシブル配線基板の上記対向箇所に当接し、上記素子取付領域が上記ベース体の取付部に弾圧して光学素子が仮止めされる。したがって光学式ピックアップの量産性を高めることに役立つ。
【００１５】
本発明では、上記取付部に、フレキシブル配線基板の素子取付領域に重なり状に取り付けられた上記光学素子が嵌合する凹所と、その凹所の周囲に位置して上記素子取付領域が弾圧される平坦な受面とが備わり、上記バックアップ部が、上記他側辺部から上記片側辺部に向けて張り出した円弧状に形成されていることが望ましい。これによれば、光学素子がベース体の取付部の凹所に嵌合して位置決めされ、かつ、その光学素子が搭載されているフレキシブル配線基板の素子取付領域が取付部の平坦な受面に重なり合うことにより、仮止め後に素子取付領域を接着剤でベース体に接合固定する作業を行いやすくなる。また、バックアップ部が円弧状に形成されているために、そのバックアップ部の周囲に広い空間が形成されるようになり、そのような広い空間が形成されるために、フレキシブル配線基板の素子取付領域と引廻し領域の素子取付領域との対向箇所とを取付部とバックアップ部との間に収容する作業を行いやすくなる。
【００１６】
本発明では、上記光学素子が、光学系の光源としての発光ダイオードから出た光ビームの強度を検出することに用いられる光強度検出センサーである、という構成を採用することが可能である。これによれば、ベース体の取付部に光強度検出センサーを仮止めして接着剤で接合固定するという作業を容易に熟練をそれほど必要とせずに行うことができるだけでなく、経時的な接着剤の劣化が生じても、光強度検出センサーが位置ずれしたり脱落したりしにくくなって初期の光学的性能が長期に亘って保たれるようになる。
【００１７】
本発明に係る光学式ピックアップは、ベース体に取り付けられたフレキシブル配線基板に引廻し領域と素子取付領域とが連続して区画形成されていて、その素子取付領域に、上記ベース体の取付部に配置されて光学系の光路に介在されている光学素子が搭載されている光学式ピックアップにおいて、上記ベース体に具備された開口の相対向する一対の辺部のうちの片側辺部に、フレキシブル配線基板の素子取付領域に重なり状に取り付けられた上記光学素子が嵌合する門形の凹所とその凹所の周囲に位置して上記素子取付領域が弾圧される平坦な受面とを備える上記取付部が設けられているのに対し、他側辺部に上記片側辺部に向けて円弧状に張り出したバックアップ部が設けられ、上記フレキシブル配線基板の引廻し領域側に折り返されてその引廻し領域に間隔を隔てて対向させた上記素子取付領域と上記引廻し領域の素子取付領域との対向箇所とを上記ベース体の取付部とパックアップ部との対向空間に収容させることによって上記取付部の凹所に上記光学素子を嵌合し、かつ、上記対向箇所に上記バックアップ部を当接させることによりフレキシブル配線基板の折返し箇所の復元力で上記素子取付領域を上記取付部の受面に弾圧させてあると共に、上記素子取付領域に補強プレートが重なり状に接合されており、上記光学素子が光学系の光源としての発光ダイオードから出た光ビームの強度を検出することに用いられる受光素子である、という構成を採用することによっていっそう具体化される。この発明の作用は後述する実施形態を参照して詳細に説明する。
【発明の効果】
【００１８】
本発明によれば、光強度検出センサーなどの光学素子の取付工程において、フレキシブル配線基板を折り返すことによって形成される折返し箇所の復元力を利用して、光学素子、たとえば光強度検出センサーを搭載したフレキシブル配線基板の素子取付領域がベース体の取付部に弾圧されるように構成されているので、光強度検出センサーの仮止めのためにビスや別の部品を用いる必要がないだけでなく、接着剤によって接合固定した後においても上記復元力が光強度検出センサーを初期の位置に留めようとする作用を発揮するので、経時による接着剤の劣化が生じたとしても光強度検出センサーが容易に早期に位置ずれしたり脱落したりするという事態が起こらなくなる。そのため、初期の光学性能が長期に亘って維持される光学式ピックアップを安価に提供することができるようになり、このことはユーザにとっても有益である。
【発明を実施するための最良の形態】
【００１９】
図１は本発明の実施形態に係る光学式ピックアップの外観斜視図、図２は図１の光学式ピックアップのベース体１０を下側から見て示した部分斜視図、図３はフレキシブル配線基板５０の展開図、図４は図２に示したベース体１０に取り付けられる形態のフレキシブル配線基板５０を示した斜視図、図５は図１の光学式ピックアップを上側から見て示した部分平面図である。
【００２０】
図１のように、この光学式ピックアップでは、主軸１０１と副軸１０２とによってディスクの径方向に走行が案内されるベース体１０に、図６を参照して説明したものと同様の光学系が装備されている。なお、図６の対物レンズ５を備えるアクチュエータは図１では図示省略してある。
【００２１】
ベース体１０には、対物レンズ５（図６参照）に臨む光通過孔１６が開設されているほか、基本形状が矩形の開口２０が開設されていて、この開口２０の相対向する一対の辺部のうちの片側辺部２１に、光学素子としての光強度検出センサー７が取り付けられる取付部２２が備わっているのに対し、他側辺部２６の中央に、上記片側辺部２１に向けて円弧状に張り出したバックアップ部２７が備わっている。そして、ベース体１０を下側から見て示した図２によって判るように、上記取付部２２は門形に形成された凹所２３とその凹所２３の周囲に位置する平坦な門形の受面２４とを備えている。
【００２２】
図３のように、展開状態のフレキシブル配線基板５０は、制御回路を搭載している主部５５と、この主部５５から延び出た略Ｌ字形の引廻し領域５１と、この引廻し領域５１の先端に連続する素子取付領域５２とに区画形成されていて、素子取付領域５２の表側に光強度検出センサー７が搭載され、その裏側に補強プレート５３が装着されている。
【００２３】
光強度検出センサー７の取付工程において、その光強度検出センサー７をベース体１０の取付部２２に仮止めする工程は次の手順で行われる。すなわち、図４のように、フレキシブル配線基板５０の引廻し領域５１の基部５１ａを主部５５に対して略直角に折り曲げてその主部５５を図２に示したベース体１０の制御回路装着部１７に固定した状態で、引廻し領域５１を湾曲形状に折り曲げてベース体１０の下側に引き廻す。また、図４によって類推することができるように、素子取付領域５２をその根元５２ａで引廻し領域５１側に折り返して引廻し領域５１に対向させ、その状態で、図５のように、素子取付領域５２と引廻し領域５１の素子取付領域５２との対向箇所５１’とのそれぞれの上端部（図４では下側の端部）を上記開口２０に下側から嵌合してそれらを上記取付部２２とバックアップ部２７との対向空間に収容させる。併せて、光強度検出センサー７を門形の取付部２２の凹所２３に嵌め込んで位置決めすると共に、その光強度検出センサー７が搭載されているフレキシブル配線基板５０の素子取付領域５２の表面を上記取付部２２の平坦な受面２４に重ね合わせる。
【００２４】
ところで、フレキシブル配線基板５０は、それ本来の特性として折曲り箇所や折返し箇所を形成した場合にその折曲り箇所や折返し箇所が復元力によって開く性質を有している。したがって、上記のように、素子取付領域５２と上記対向箇所５１’とを取付部２２とバックアップ部２７との対向空間に収容させた場合には、素子取付領域５２の根元５２ａの折返し箇所ロが復元力で開いて上記対向箇所５１’にバックアップ部２７が当接するので、その反作用によって素子取付領域５２が図５矢印Ｆ１のように弾性的に付勢されて取付部２２の受面２４に弾圧する。このため、素子取付領域５２に搭載されている光り強度検出センサー７が取付部２２の凹所１４に嵌まり込んで位置決めされている状態がそのまま維持されるようになる。
【００２５】
上記のように、フレキシブル配線基板５０の折返し箇所ロの復元力により素子取付領域５２が取付部２２の平坦な受面２４に弾圧されて光強度検出センサー７が凹所２３に嵌まり込んで位置決めされていると、次工程で接着剤を塗布して素子取付領域５２を取付部２２に接合固定するときに、素子取付領域５２を人為的に位置決めするという煩わしい操作を行う必要がなくなって接着剤を塗布する作業を容易にかつ熟練をそれほど必要とせずに正確に行うことができるようになる。また、接着剤を塗布して光強度検出センサー７の取付工程が終了した後においても、上記折返し箇所ロの復元力によって素子取付領域５２が取付部２２の平坦な受面２４に弾圧されているという状態がそのまま維持されるので、仮に経時的な要因によって接着剤が劣化したとしても、素子取付領域５２が取付部２２から剥がれて光強度検出センサー７が位置ずれしたり凹所２３から脱落したりするという事態が起こりにくくなり、光強度検出センサー７の初期の性能が長期に亘って保たれ、当該光学式ピックアップによる初期の書込み精度や読込み精度が低下しなくなる。このことにより、ユーザにとっては、ＤＶＤ装置などで高品質の画像を長期に亘って楽しむことが可能になる。
【００２６】
この実施形態では、ベース体１０側に設けられるバックアップ部２７を円弧状に張り出す形状に形成してあるので、そのバックアップ部２７の両側に、取付部２２とバックアップ部２７との対向空間の広さに比べて比較的広い空間が確保されている。そのため、光強度検出センサー７を仮止めするために素子取付領域５２と上記対向箇所５１’とを取付部２２とバックアップ部２７との対向空間に収容させる作業を行うときに、素子取付領域５２と上記対向箇所５１’とをバックアップ部２７の両側の広い空間を活用して取付部２２とバックアップ部２７との対向空間に導き入れることができるようになってそれだけ仮止め作業が容易になるという利点がある。
【００２７】
なお、図１〜図５では、図６又は図７について説明した要素と同一又は相応する要素に同一符号を付してある。
【図面の簡単な説明】
【００２８】
【図１】本発明の実施形態に係る光学式ピックアップの外観斜視図である。
【図２】図１の光学式ピックアップのベース体を下側から見て示した部分斜視図である。
【図３】フレキシブル配線基板の展開図である。
【図４】図２に示したベース体に取り付けられる形態のフレキシブル配線基板を示した斜視図である。
【図５】図１の光学式ピックアップを上側から見て示した部分平面図である。
【図６】光学系の説明図である。
【図７】従来例についてのベース体に対する光強度検出センサーの取付け部分の構造を示した平面図である。
【符号の説明】
【００２９】
１  発光ダイオード
７  光強度検出センサー（光学素子）
１０  ベース体
２０  開口
２１  開口の片側辺部
２２  取付部
２３  凹所
２４  受面
２６  開口の他側辺部
２７  バックアップ部
５０  フレキシブル配線基板
５１  引廻し領域
５１’  引廻し領域の素子取付領域との対向箇所
５２  素子取付領域
５３  補強プレート
ロ  フレキシブル配線基板の折返し箇所
【図１】
2006216131.tif 000003
【図２】
2006216131.tif 000004
【図３】
2006216131.tif 000005
【図４】
2006216131.tif 000006
【図５】
2006216131.tif 000007
【図６】
2006216131.tif 000008
【図７】
2006216131.tif 000009